(57)【要約】【課題】本考案は所有の多種ハンドバッグ、鞄に共有活用ができ、他社路線乗換時にも便利な自動改札機対応ＩＣカードフォルダー付バッグ底敷きを提供する。【解決手段】バッグの内側底部に敷くＩＣカードフォルダー付バッグ底敷きでＩＣカードフォルダー２にＩＣカード４を装着しバッグの底面を自動改札機の感知パネルにあてて自動改札機を通過するものである。このＩＣカードフォルダー付バッグ底敷きはバッグの底面サイズに合わせて寸法が変えられるので多種のバッグに使用ができ、取り外せるので他のバッグとの共有活用も可能。ＩＣフォルダーも複数付いていて他路線の乗換にも対応ができる。【選択図】  図１
0003200947.tif 000002
【実用新案登録請求の範囲】
【請求項１】
バッグ（６）から取り外し可能で、方形のシート状の本体部（１）の裏面にＩＣカード（４）が収まる複数の切り口（２ａ、２ｂ、２ｃ）を備えたＩＣカードフォルダー（２）を設けたことを特徴とするＩＣカードフォルダー付バッグ底敷き。
【請求項２】
ＩＣカードフォルダー（２）が複数設けられていることを特徴とする請求項１に記載のＩＣカードフォルダー付バッグ底敷き。
【請求項３】
バッグ（６）の内側底部の大きさに合わせて寸法を変えられるように本体部（1）の裏面の周囲に切り取り目安線（３）を設けていることを特徴とする請求項１〜２のいずれか１項に記載のＩＣカードフォルダー付バッグ底敷き。
【請求項４】
方形のシート状の本体部（１）の表面には絵柄を印刷しており、バッグ内を美しく華やかにディスプレイできることを特徴とする請求項１〜３のいずれか１項に記載のＩＣカードフォルダー付バッグ底敷き。
【考案の詳細な説明】
【技術分野】
【０００１】
本考案は輸送機関である鉄道、路面バス等にＩＣカードを使って乗降する人が使用するバッグの底敷きに関するものである。
【背景技術】
【０００２】
ＩＣＯＣＡ（登録商標）等のＩＣカードは通勤や通学及び移動するたびに使用するもので、これを汚損や紛失から護るために、殆どの鉄道、路面バス利用者はこれをパスケースや財布に付いているカードポケットに入れている。ごく一部の人がバッグに付いているカードポケットにＩＣカードを入れてそのバッグを自動改札機の感知パネルにかざして利用している（例えば、特許文献１，２を参照）
【先行技術文献】
【特許文献】
【０００３】
【特許文献１】特開２００９-１３６６０２号公報
【特許文献２】特開２００４-０１６５５１号公報
【考案の概要】
【考案が解決しようとする課題】
【０００４】
自動改札機を通過する時、服のポケットやバッグの中からパスケースや、財布をいちいち取り出さなければならない。その時他の物も一緒に持ち上がり紛失することもある。またバッグにＩＣカードポケットが付いたのもあるが、１つのＩＣカードにしか対応しないため他社路線や複数の乗換等には使えない。またＩＣカードポケットが付いていないバッグを使用する時には使えない。
【課題を解決するための手段】
【０００５】
請求項１記載のＩＣカードフォルダー付バッグ底敷きはバッグから取り外し可能で、方形のシート状の本体部の裏面にＩＣカードが収まる複数の切り口の付いたＩＣカードフォルダーを設けたもので、このフォルダー部にＩＣカードを装着する。このＩＣカードフォルダー付バッグ底敷きをハンドバッグや鞄の内側底部に敷く。これにより自動改札機を通過する時このバッグの底面を自動改札機感知部に着けるだけで自動改札機を通過できる。さらにこのバッグ底敷きはバッグから取り外し可能なため他のバッグにも使用できる。
【０００６】
請求項２記載のＩＣカードフォルダー付バッグ底敷きはＩＣカードフォルダーが複数設けられているので、他社路線ＩＣカード等も装着することが出来、他線の乗換時にも活用ができる。
【０００７】
請求項３記載のＩＣカードフォルダー付バッグ底敷きは大きさの違うハンドバッグ及び鞄に活用できるよう裏面に印刷されている切り取り目安線に沿ってハサミ等で切断でき所持しているバッグ等の内側底部の大きさに合うよう底敷きの寸法を変えることが出来る。
【０００８】
請求項４記載のＩＣカードフォルダー付バッグ底敷きは表面に絵柄を印刷することによりバッグ内を明るくカラフルにまた好みの雰囲気に変えることが出来日々の使用の際に安らぎや高揚感を与える。
【考案の効果】
【０００９】
本考案のＩＣカードフォルダー付バッグ底敷きは上記構成であるのでフォルダー部にＩＣカードを装着し絵柄面を上（フォルダー装着面を下）にしてバッグの内側底部に敷く。このバッグを駅の自動改札機のＩＣカード感知パネルにＩＣカードが装着されている側のバッグ底面をあて、通過する。また他社ＩＣカード使用の路線乗り換え時には、それに適応するＩＣカードが装着されている方のバッグ底面を自動改札機のＩＣカード感知パネルにあて、通過する。この様にいちいち服のポケットや、バッグからＩＣカードの入ったパスケースや財布を出すこともなく、またその時に他の物を取り出し、紛失する危険性も防ぎ、他社路線乗換時にもスムーズに改札を通過することが出来る。また底敷きは取り外しが簡単にできるので他のバッグにも使え共有活用ができる。
【図面の簡単な説明】
【００１０】
【図１】本考案のＩＣカードフォルダー付バッグ底敷きの構成を示す図であり、（Ａ）はバッグ底敷きの裏面、（Ｂ）はバッグ底敷きの絵柄面（表面）、（Ｃ）はＩＣカードをフォルダーに装着した場合を示すバッグ底敷きの裏面、（Ｄ）はＩＣカードをフォルダーに装着した場合を示すバッグ底敷きの絵柄面（表面）。
【図２】本考案のＩＣカードフォルダー付バッグ底敷きを使用するバッグ内側底面の大きさに合わせて、バッグ底敷き裏面に印刷されている切り取り目安線に沿ってハサミで切っている様子を示す図。
【図３】本考案のＩＣカードフォルダー付バッグ底敷きを使用するバッグの大きさに切った後を示す図で、（Ａ）はバッグ底敷きの裏面、（Ｂ）はバッグ底敷きの絵柄面（表面）。
【図４】本考案のＩＣカードフォルダー付バッグ底敷きを使用するバッグに絵柄面（表面）を上にして敷く時を示す図。
【考案を実施するための形態】
【００１１】
以下図面を用いて本考案の実施例を説明する。
【実施例】
【００１２】
図１（Ａ）、（Ｂ）は本考案のＩＣカードフォルダー付バッグ底敷きの絵柄面（表面）と裏面を示す、図１（Ｃ）、（Ｄ）はＩＣカードをフォルダーに装着した場合のバッグ底敷きの裏面と絵柄面（表面）を示す。本体部１の寸法は１５０ｍｍ×３５０ｍｍである。ＩＣカード４が装着できるフォルダー２が２つ設けられている。フォルダー２にはＩＣカード４を保持するための切り口２ａ，２ｂ，２ｃが設けられている。バッグ底敷きの裏面にはバッグ６の大きさに合わせて寸法を変える時に役立つ切り取り目安線３が５ｍｍ間隔で印刷されている。
【００１３】
図２は本考案のＩＣカードフォルダー付バッグ底敷きを使用するバッグ６の大きさに合う様切り取り目安線３に沿ってハサミ５で切り取っている様子を示す図である。
【００１４】
図３は本考案のＩＣカードフォルダー付バッグ底敷きを使用するバッグ６の大きさに切り取った後の裏面と絵柄面（表面）を示す図である。
【００１５】
図４は図３で示したように切り取ったＩＣカードフォルダー付バック底敷きを絵柄面（表面）を上向きにしてバッグ６の内側底部に装着して使用する状態を示す図である。なお、上記ＩＣカードフォルダー付バッグ底敷きの寸法については上記実施例の物に限ったものではない。さらに、切り取り目安線３は手で切り取れるようにミシン目をつけてもよい。またＩＣカードフォルダー２の数は１つでも複数でもよい。また、上記実施例のバッグ６はハンドバッグ、トートバッグ、ショルダーバッグ、ボストンバッグ、ポシェットバッグ、鞄等でもよい。
【符号の説明】
【００１６】
１  本体部
２  ＩＣカードフォルダー
２ａ，２ｂ，２ｃ  切り口
３  切り取り目安線
４  ＩＣカード
５  ハサミ
６  バッグ
【図１】
0003200947.tif 000003
【図２】
0003200947.tif 000004
【図３】
0003200947.tif 000005
【図４】
0003200947.tif 000006